(57)【要約】【課題】多条架設伝送ケーブルの中から特定のケーブルを特別な加工を施すことなく廉価且つ簡便に識別する。【解決手段】導電性メッセンジャーワイヤと複数本の導電性テンションメンバを有する伝送ケーブルとを含み、且つ、特定の伝送ケーブルのテンションメンバの両端がそれぞれ別のクロージャ内の導電性接続板を介してメッセンジャーワイヤに接続されている多条架設伝送ケーブルにおいて、クロージャ（２０）の近傍で特定の伝送ケーブル（７）に印加用クランプ手段（２４）により交流電圧を印加してテンションメンバ（９）中に交流電流を誘導する一方、交流電圧の印加位置から離れた位置で測定用クランプ手段（２６）により任意の伝送ケーブルのテンションメンバ（９、９´）に流れる電流を測定し、測定された電流値に基づき、測定用クランプ手段によりクランプされた伝送ケーブルを特定の伝送ケーブルと判断する。【選択図】図４
2006166545.tif 000002
【特許請求の範囲】
【請求項１】
一本の導電性メッセンジャーワイヤと、
複数本の、導電性テンションメンバを有する伝送ケーブルと、
を含み、且つ、
特定の伝送ケーブルのテンションメンバの両端が、それぞれ、別のクロージャ内の導電性接続板を介して前記メッセンジャーワイヤに接続されている、
多条架設伝送ケーブルにおいて、
一方のクロージャの近傍で、前記特定の伝送ケーブルに印加用クランプ手段を用いて交流電圧を印加し、該伝送ケーブルのテンションメンバ中に交流電流を誘導し、
交流電圧の印加位置から離れた位置で、任意の伝送ケーブルのテンションメンバに流れる電流を測定用クランプ手段を用いて測定し、
測定された電流値に基づき、測定用クランプ手段によりクランプされた伝送ケーブルを特定の伝送ケーブルと識別する、
ことを特徴とする、複数本の伝送ケーブルの中から特定の伝送ケーブルを識別する方法。
【請求項２】
測定用クランプ手段により測定された電流の位相と、印加用クランプ手段により誘導された交流電流との位相とが一致したときに、測定用クランプ手段によりクランプされた伝送ケーブルを特定の伝送ケーブルと識別することを特徴とする、請求項１に記載のケーブルの識別方法。
【請求項３】
伝送ケーブルが光ケーブルであることを特徴とする、請求項１または２に記載のケーブルの識別方法。
【発明の詳細な説明】
【技術分野】
【０００１】
本発明は、多条架設された光ケーブルおよびメタリックケーブル（以下、光ケーブルとメタリックケーブルをまとめて表すときは「伝送ケーブル」と表す。）の中から、特定のケーブルを、特別な加工を施すことなく廉価且つ簡便に識別する方法に関する。
【背景技術】
【０００２】
伝送ケーブルは、通常複数本の伝送ケーブルがメッセンジャーワイヤに支持された束の状態で配設されている。一般に被覆鋼線から成るメッセンジャーワイヤは、伝送ケーブルを支持してケーブルを重力、張力、風力等から保護する役割を果たしている。そして、束になった多条架設伝送ケーブルは、適宜クロージャ等によって接続・分岐されつつ電柱間に架設され、最終需要者のもとへと連結されている（図１参照）。例えば、新規なデータ伝送の需要が発生した場合には、既設伝送ケーブルと新規ケーブルとを特定箇所で接続する必要があるが、接続される既設伝送ケーブルの識別は、伝送ケーブルの太さによって識別するか、あるいは、伝送ケーブルの分岐点等において各ケーブルに巻きつけられている色つきスパイラルの色によって識別する方法によっていた。
【０００３】
しかしながら、近年では、一本のメッセンジャーワイヤと複数本の伝送ケーブルとをまとめてスパイラル中に通し、束の状態で電柱間に架設する、いわゆる「スパイラルハンガー工法」、「コイルハンガー工法」が主流となってきた。この様な工法の場合には、スパイラル中で非常に長い複数本の伝送ケーブルが複雑に絡み合って架設されるため、例えば新規なクロージャを設置しようとする場合に、新設クロージャに接続されるべき特定の伝送ケーブルを設置点において簡単に識別することが非常に困難であった。
【０００４】
一方、ケーブルの識別方法としては、例えば、特開平９−９４３９号公報（特許文献１）に開示されているように、複数本のケーブルの中の識別されるべき特定ケーブルについて、該ケーブルの導体の一端を接地し、該導体の他端から所定の信号電流を供給し、上記他端から所定距離離れて配置された位置において複数本のケーブルのうちの所定の一本のケーブルの電流をクランプセンサーにより測定し、クランプセンサーで検出された信号電流と特定ケーブルの導体に供給された信号電流との相関関係に基づいて上記所定のケーブルを特定ケーブルと識別する方法が知られていた。
【０００５】
【特許文献１】特開平９−９４３９号公報
【発明の開示】
【発明が解決しようとする課題】
【０００６】
しかしながら、特許文献１に開示された装置を伝送ケーブルに適用しようとした場合、同軸ケーブルや平衡形ケーブルを心線とするメタリックケーブルには適用可能であるが、光ファイバを心線とする光ケーブルには適用することができない。さらに、メタリックケーブルに適用する場合であっても、識別前にケーブルに加工を施す必要がある。すなわち、心線の一端を接地するとともに他端から所定の信号電流を供給する必要があるが、この作業は煩雑であり、加工途中にケーブルを破損してしまう危険性もある。
【０００７】
そこで本発明は、多条架設されたメタリックケーブルばかりでなく光ケーブルにも適用することができ、かつ、ケーブルおよびクロージャ等になんら特別な加工を施すことなく、これら伝送ケーブルの中から特定のケーブルを廉価且つ簡便に識別する方法を提供することを目的とする。
【課題を解決するための手段】
【０００８】
発明者は、これらの伝送ケーブルが、ケーブル自体を重力、張力、風力から保護するために、一般的には鋼製の導電性テンションメンバを少なくとも１本備えており（図３参照）、かつ、該テンションメンバとメッセンジャーワイヤとがクロージャ内の導電性接続板（保持金具）によって接続されていることに着目した。そして、一本の導電性メッセンジャーワイヤと複数本の導電性テンションメンバを有する伝送ケーブルとを含み、且つ、特定の伝送ケーブルのテンションメンバの両端がそれぞれ別のクロージャ内の導電性接続板を介して前記メッセンジャーワイヤに接続されている多条架設伝送ケーブルにおいて、一方のクロージャの近傍で上記特定の伝送ケーブルに印加用クランプ手段を用いて交流電圧を印加して該伝送ケーブルのテンションメンバ中に交流電流を誘導する一方、  交流電圧の印加位置から離れた位置で任意の伝送ケーブルのテンションメンバに流れる電流を測定用クランプ手段を用いて測定し、測定された電流値に基づき、測定用クランプ手段によりクランプされた伝送ケーブルを特定の伝送ケーブルであると判断することを特徴とする、複数本の伝送ケーブルの中から特定の伝送ケーブルを識別する方法により上記目的が達成されることを発見した。
【０００９】
本発明によると、特許文献１に開示された方法のようにケーブルに電流を流すための接地等の前処理をすることが不要であり、ケーブルやクロージャ等になんら特別な加工を施す必要がなく、目的の伝送ケーブルを識別することができる。また、交流電圧印加および誘導電流の測定は慣用のクランプ手段を用いて行うことができる。従って、ケーブルを傷つけることもなく、廉価かつ簡便に、複数本の伝送ケーブルの中から特定の伝送ケーブルを識別することができる。本発明のケーブル識別方法は、特に上述の先行のケーブル識別方法では識別が困難であった光ファイバを心線とする光ケーブルを対象とするのが好ましい。
【００１０】
また、本発明では、測定用クランプ手段により測定された電流の大きさだけでなく、この測定電流の位相と印加用クランプ手段により誘導された交流電流との位相が一致したときに、測定用クランプ手段によりクランプされた伝送ケーブルを特定の伝送ケーブルと識別することにより、正確な伝送ケーブルの識別が可能になる。特定の伝送ケーブルのテンションメンバの両端がそれぞれ別のクロージャ内の導電性接続板を介して上記メッセンジャーワイヤに接続されている多条架設伝送ケーブルにおいて、導電性接続板に特定ケーブル以外の伝送ケーブルも接続されている場合があるが、この場合には誘導電流の大きさのみを判定基準として特定ケーブルを識別することが難しい。しかし、後述するように、特定ケーブルに流れる電流と特定ケーブル以外の伝送ケーブルに流れる電流とはその位相が反転するため、位相の一致性を判断基準とすることにより、特定ケーブルを正確に識別することができる。
【発明の効果】
【００１１】
本発明によれば、慣用のクランプ手段を使用して、かつケーブルやクロージャ等になんら特別な加工を施す必要がなく、複数本の伝送ケーブルの中から特定の伝送ケーブルを正確に識別することができ、廉価かつ簡便に特定のケーブルを識別することが可能になる。
【発明を実施するための最良の形態】
【００１２】
以下、伝送ケーブルとして光ケーブルを使用した本発明の実施の形態について図面に基づいて説明するが、本発明は以下の実施の形態に限定されない。
【００１３】
図１は、本願発明の前提となる多条架設光ケーブル１の配設の様子を示した図である。以下、複数本の光ケーブルと被覆鋼線のメッセンジャーワイヤとの束である多条架設光ケーブル１が、接続用クロージャ２、分岐用クロージャ３を介し、家庭の光成端箱４へと連結されている系を基礎とし、接続用クロージャ２と分岐用クロージャ３の間に、新規の接続用クロージャ２´を設置する場合を仮定して説明する。
【００１４】
図２は、図１における接続用クロージャ２と分岐用クロージャ３の間を拡大して示した図である。鋼製のメッセンジャーワイヤ６は、複数本の光ケーブル７とともにスパイラル５の中に束ねられ、クロージャ２、３間に配設されている。クロージャ２、３間の距離は一般には１００ｍ以上にもおよび、かつスパイラル５中に複数本のケーブル６、７が束ねられているため、クロージャ２、３間の任意の位置で特定の一本の光ケーブルを識別するのは一般に困難である。
【００１５】
図３は、一本の光ケーブル７の構造を示している。光ケーブル７には、複数本の光ファイバ心線８と、テンションメンバ９とが含まれており、全体が外被１０によって覆われている。光ファイバ心線の数およびテンションメンバの数は、光ケーブルの用途、種類によって異なるが、本実施の形態では、簡単のため、図３のような、テンションメンバ９を一本のみ備えた光ケーブルを例として説明する。
【００１６】
図４は、クロージャ２、３の接続板２０、３０にメッセンジャーワイヤ６と特定の光ケーブル７とが接続されている様子を示している。図中の光ケーブル７が、新設クロージャ２´に接続されるべき光ケーブル、すなわち、識別されるべき特定の光ケーブルを表している。クロージャ２、３内の接続板２０、３０は、鋼または銅で形成されており、導電性を有しており、特定の光ケーブル７に備えられているテンションメンバ９は、その一端がクロージャ２の接続板２０を介してメッセンジャーワイヤ６と接続されており、他端はクロージャ３の接続板３０を介してメッセンジャーワイヤ６と接続されている。従って、「特定の光ケーブル７のテンションメンバ９−クロージャ２内の接続板２０−メッセンジャーワイヤ６−クロージャ３内の接続板３０」には、電気的な閉回路が構成されうる。図４では、新設クロージャ２´に接続されるべきではない、すなわち識別されるべきではない別の光ケーブル７´も示されており、このケーブル７´のテンションメンバ９´の一端は、一方のクロージャ３の接続板３０に接続されているが、他方のクロージャ２の接続板２０には接続されていない。
【００１７】
本実施の形態では、識別されるべき特定の光ケーブル７のＫ点に、印加用クランプ手段２４が設置される。Ｋ点は、識別対象となる光ケーブル７が明確に特定される位置であり、クロージャの近傍の位置である。さらに、本実施の形態では、新設クロージャ２´が配設されるべき位置Ａ点、Ｂ点に、測定用クランプ手段２６が設置される。印加用クランプ手段２４は、交流電源とこの電源に接続されたコイル部２４ａとを有する慣用のものでよく、光ケーブル７をコイル部２４ａの内側に配置するようにクランプし、交流電源により交流電圧を印加すると、光ケーブル７のテンションメンバ９に一定の大きさの交流電流が誘導されうる。また、測定用クランプ手段２６も、電流測定部２６ｂとこの測定部に接続された環状磁路部２６ａとを有する慣用のものでよい。光ケーブル７、７´を環状磁路部２６ａの内側に配置するようにクランプすると、光ケーブル７、７´のテンションメンバ９、９´中に流れる電流値が測定されうる。
【００１８】
本実施の形態では、一方のクロージャの近傍Ｋ点で、特定の光ケーブル７に印加用クランプ手段２４を用いて交流電圧を印加し、光ケーブル７のテンションメンバ９中に交流電流を誘導し、交流電圧の印加位置から離れた位置Ａ、Ｂ点で、任意の光ケーブル７、７´のテンションメンバ９、９´に流れる電流を測定用クランプ手段２６を用いて測定する。上述のように、「光ケーブル７のテンションメンバ９−クロージャ２内の接続板２０−メッセンジャーワイヤ６−クロージャ３内の接続板３０」には電気的な閉回路が構成されうるため、Ｋ点において印加用クランプ手段２４の作用により発生した誘導電流は、この閉回路２００内を流れ、そして、Ａ点に配置された測定用クランプ手段２６により、発生した閉回路電流が測定される。一方、新設クロージャ２´が配設されるべき位置において、測定用クランプ手段２６が識別されるべき光ケーブル７ではない光ケーブル７´にクランプされた場合（Ｂ点）には、このケーブル７´のテンションメンバ９´を含む電気的な閉回路が構成されないため、測定用クランプ手段２６により電流が検出されない。
【００１９】
従って、図４に示すような構成では、「光ケーブル７のテンションメンバ９−クロージャ２内の接続板２０−メッセンジャーワイヤ６−クロージャ３内の接続板３０」の回路構成によって測定用クランプ手段２６により誘導電流が検出されるか、または予め想定される誘導電流の値と測定用クランプ手段２６により実際に測定された誘導電流の大きさが一致していれば、測定用クランプ手段２６によりクランプされた光ケーブル７は識別されるべき特定のケーブルであると判断することができ、一方、測定用クランプ手段２６により電流値が検出されないか、または想定される電流値と著しく異なる場合には、測定用クランプ手段２６によりクランプされた光ケーブル´は識別されるべきではない他のケーブルであり、別方路に導かれるべきケーブルであると判断することができる。
【００２０】
次に、図５により、２個のクロージャ２、３間に２本の光ケーブル７、７´が配設されている場合について説明する。図中、光ケーブル７は、新設クロージャ２´に接続されるべき特定の光ケーブルを表しており、光ケーブル７´は、新設クロージャ２´に接続されるべきではない別の光ケーブルを表している。特定の光ケーブル７のテンションメンバ９は、その一端がクロージャ２の接続板２０を介してメッセンジャーワイヤ６と接続されており、他端はクロージャ３の接続板３０を介してメッセンジャーワイヤ６と接続されている。従って、「特定の光ケーブル７のテンションメンバ９−クロージャ２内の接続板２０−メッセンジャーワイヤ６−クロージャ３内の接続板３０」には、電気的な閉回路が構成されうる。一方、別の光ケーブル７´のテンションメンバ９´は、その一端がクロージャ２の接続板２０を介してメッセンジャーワイヤ６および特定の光ケーブル７のテンションメンバ９の一端と接続されており、他端はクロージャ３の接続板３０を介してメッセンジャーワイヤ６および特定の光ケーブル７のテンションメンバ９の他端と接続されている。従って、「別の光ケーブル７´のテンションメンバ９´−クロージャ２内の接続板２０−特定の光ケーブル７のテンションメンバ９−クロージャ３内の接続板３０」にも、電気的な閉回路が構成されうる。
【００２１】
図４の場合と同様に、識別されるべき特定の光ケーブル７のＫ点、すなわち、識別対象となる光ケーブル７が明確に特定されるクロージャの近傍の位置に、印加用クランプ手段２４が設置される。さらに、新設クロージャ２´が配設されるべき位置Ａ点、Ｂ点に、測定用クランプ手段２６が設置される。この場合には、印加用クランプ手段２４は、交流電源とこの電源に接続されたコイル部２４ａと誘導電流の位相を測定可能な電流測定部とを有する慣用のものでよく、光ケーブル７をコイル部２４ａの内側に配置するようにクランプし、交流電源により交流電圧を印加すると、光ケーブル７のテンションメンバ９に一定の大きさおよび位相を有する交流電流が誘導されうる。測定用クランプ手段２６は、電流測定部２６ｂとこの測定部に接続された環状磁路部２６ａとを有する慣用のものでよいが、電流測定部２６ｂは、電流値だけでなく、電流の位相をも確認できるものでなければならない。光ケーブル７、７´を環状磁路部２６ａの内側に配置するようにクランプすると、光ケーブル７、７´のテンションメンバ９、９´中に流れる電流の大きさおよび位相が測定されうる。
【００２２】
一方のクロージャの近傍Ｋ点で、特定の光ケーブル７に印加用クランプ手段２４を用いて交流電圧を印加し、光ケーブル７のテンションメンバ９中に交流電流を誘導し、交流電圧の印加位置から離れた位置Ａ、Ｂ点で、任意の光ケーブル７、７´のテンションメンバ９、９´に流れる電流を測定用クランプ手段２６を用いて測定する。上述のように、「光ケーブル７のテンションメンバ９−クロージャ２内の接続板２０−メッセンジャーワイヤ６−クロージャ３内の接続板３０」には電気的な閉回路が構成されているため、Ｋ点において発生した誘導電流はこの閉回路２００内を流れ、そして、Ａ点に配置された測定用クランプ手段２６により、発生した閉回路電流の大きさおよび位相が測定される。一方、上述のように、「光ケーブル７´のテンションメンバ９´−クロージャ２内の接続板２０−特定の光ケーブル７のテンションメンバ９−クロージャ３内の接続板３０」にも、電気的な閉回路が構成されているため、新設クロージャ２´が配設されるべき位置において、測定用クランプ手段２６が識別されるべき光ケーブル７ではない光ケーブル７´にＢ点でクランプされた場合には、Ｋ点において発生した誘導電流はこの閉回路２０１内にも流れ、そして、Ｂ点に配置された測定用クランプ手段２６により、発生した閉回路電流の大きさおよび位相が測定される。
【００２３】
しかしながら、図５に示すように、閉回路２００における電流の向きおよび閉回路２０１における電流の向きは逆方向であるため、Ａ点に配置された測定用クランプ手段２６により測定された電流の位相は、Ｋ点で発生した誘導電流の位相と同一になるが、Ｂ点に配置された測定用クランプ手段２６により測定された電流の位相は、Ｋ点で発生した誘導電流の位相と反転する（位相が９０°ずれる）。
【００２４】
従って、図５に示すような構成では、「光ケーブル７のテンションメンバ９−クロージャ２内の接続板２０−メッセンジャーワイヤ６−クロージャ３内の接続板３０」の回路構成によって測定用クランプ手段２６により誘導電流が検出されるか、または予め想定される誘導電流の値と測定用クランプ手段２６により実際に測定された誘導電流の大きさが一致しており、かつ、印加用クランプ手段２４によって測定される誘導電流の位相と測定用クランプ手段２６により測定される電流の位相とが一致していれば、測定用クランプ手段２６によりクランプされた光ケーブルは識別されるべき特定のケーブルであると判断することができ、一方、所定の値の電流値が検出されるものの、印加用クランプ手段２４によって測定される誘導電流の位相と測定用クランプ手段２６により測定される電流の位相とが反転していれば、測定用クランプ手段２６によりクランプされた光ケーブル７´は識別されるべきではない他のケーブルであると判断することができる。
【００２５】
以上、図５において、２個のクロージャ間に２本の光ケーブル７、７´が接続されている場合を説明したが、２個のクロージャ間に３本以上の光ケーブルが接続されている場合でも同様に考慮すればよく、印加用クランプ手段２４によって測定される誘導電流の位相と測定用クランプ手段２６により測定される電流の位相とが一致していれば、クランプされた光ケーブルは識別されるべき特定のケーブルであり、印加用クランプ手段２４によって測定される誘導電流の位相と測定用クランプ手段２６により測定される電流の位相とが反転していれば、クランプされた光ケーブルは識別されるべきではない他のケーブルであると判定することができる。また、図４において、クロージャ２からさらに図の左方に伸びるメッセンジャーワイヤが隣接するクロージャの接続板で光ケーブル７´のテンションメンバ９´と接続されている場合にも、図５における場合と同様に考慮すればよく、印加用クランプ手段２４によって測定される誘導電流の位相と測定用クランプ手段２６により測定される電流の位相とが一致していれば、クランプされた光ケーブルは識別されるべき特定のケーブルであり、印加用クランプ手段２４によって測定される誘導電流の位相と測定用クランプ手段２６により測定される電流の位相とが反転していれば、クランプされた光ケーブルは識別されるべきではない他のケーブルであると判定することができる。
【００２６】
また、上記説明では、既設のクロージャ間に配設された多条架設光ケーブルを例として説明したが、一方のクロージャ、例えばクロージャ２が新設のクロージャ２´であり、便宜的に光ケーブルのテンションメンバおよびメッセンジャーワイヤを接続したのちに上述の方法を実施することも可能である。さらに、上記説明では伝送ケーブルとして光ケーブルを使用したが、メタリックケーブルの場合にもまったく同様に本発明のケーブル識別方法を実施することができ、光ケーブルのテンションメンバをメタリックケーブルのテンションメンバに置き換えて考慮すればよい。
【図面の簡単な説明】
【００２７】
【図１】多条架設伝送光ケーブルの配設の様子を示した図である。
【図２】２個のクロージャ間に配設されている、スパイラル中に束ねられたメッセンジャーワイヤと複数本の光ケーブルの構成を示した図である。
【図３】一本の光ケーブルを例示した図であり、（ａ）は斜面図、（ｂ）は断面図である。
【図４】本実施の形態のケーブル識別方法を説明した図である。
【図５】クロージャ間に２本の光ケーブルが配設されている場合における、本実施の形態のケーブル識別方法を説明した図である。
【符号の説明】
【００２８】
１  多条架設光ケーブル
２  接続用クロージャ
２´  新設クロージャ
３  分岐用クロージャ
４  光成端箱
５  スパイラル
６  メッセンジャーワイヤ
７、７´  光ケーブル
８  光ファイバ心線
９、９´  テンションメンバ
１０  外被
２０、３０、接続板
２４  印加用クランプ手段
２６  測定用クランプ手段
２００、２０１  電流の流れ
【図１】
2006166545.tif 000003
【図２】
2006166545.tif 000004
【図３】
2006166545.tif 000005
【図４】
2006166545.tif 000006
【図５】
2006166545.tif 000007